(57)【特許請求の範囲】
【請求項１】
複数の磁石を配置した第１の回転ドラムを備え、使用済みクーラント液中の磁性体を分離する回転ドラム型磁気分離装置において、
複数の磁石を配置した第２の回転ドラムを、前記第１の回転ドラムよりも使用済みクーラント液が流入してくる手前側に備え、
前記使用済みクーラント液は、第２の回転ドラムから第１の回転ドラムに向かって流れ、
前記第２の回転ドラムが使用済みクーラント液中の磁性体を磁化することで、該磁性体を互いに吸着させて大きくするとともに、
前記第２の回転ドラムに付着した磁性体を掻き取るスクレパーと、
前記第１の回転ドラム下部の流路を形成する底部材とを備え、
前記スクレパーにより掻き取られた磁性体が大きくなった状態のまま、前記使用済みクーラント液の流れに沿って前記第１の回転ドラムへ誘導されることを特徴とする回転ドラム型磁気分離装置。
【請求項２】
前記第２の回転ドラムは、外筒と内筒とで構成されており、
前記外筒は固定されており、複数の磁石が配置された前記内筒は、前記外筒の内側を回転することができるよう構成されていることを特徴とする請求項１に記載の回転ドラム型磁気分離装置。
【請求項３】
前記第２の回転ドラムは、外筒と内筒とで構成されており、
複数の磁石が配置された前記内筒は固定されており、前記外筒は、前記内筒の外側を回転することができるよう構成されていることを特徴とする請求項１に記載の回転ドラム型磁気分離装置。
【請求項４】
前記第２の回転ドラムは、外筒と内筒とで構成されており、
複数の磁石が配置された前記内筒と前記外筒とは、互いに回転することができるよう構成されていることを特徴とする請求項１に記載の回転ドラム型磁気分離装置。
【請求項５】
前記スクレパーは、前記第２の回転ドラム側から前記第１の回転ドラム側に向かって下降するよう傾斜していることを特徴とする請求項２乃至４のいずれか一項に記載の回転ドラム型磁気分離装置。
【請求項６】
前記第２の回転ドラムは、磁力が周囲と比較して強い強磁部分と、磁力が周囲と比較して弱い弱磁部分とを有することを特徴とする請求項２乃至５のいずれか一項に記載の回転ドラム型磁気分離装置。
【請求項７】
前記第２の回転ドラムの前記内筒は、極性の異なる２つの磁石を一組とし、複数組の磁石が装着されていることを特徴とする請求項６に記載の回転ドラム型磁気分離装置。
【請求項８】
前記第２の回転ドラムの前記内筒に装着された一組の磁石は、一方の磁石の厚みの方が他方の磁石の厚みよりも厚くなるよう構成されていることを特徴とする請求項７に記載の回転ドラム型磁気分離装置。
【請求項９】
前記第２の回転ドラムの前記内筒に偶数組の磁石が装着された場合、互いに隣接する一組の磁石は、極性が逆になるよう構成されていることを特徴とする請求項７に記載の回転ドラム型磁気分離装置。
【請求項１０】
前記第１の回転ドラムは、使用済みクーラント液に一部が浸漬し、他部が浸漬しないように構成されており、
前記第２の回転ドラムは、使用済みクーラント液に全体が浸漬するように構成されていることを特徴とする請求項１乃至第９のいずれか一項に記載の回転ドラム型磁気分離装置。
【請求項１１】
使用済みクーラント液は、前記第２の回転ドラムの上部の近傍を通過し、その後前記第１の回転ドラムの下部と前記底部材との間を通過するように流れが形成されることを特徴とする請求項１乃至１０のいずれか一項に記載の回転ドラム型磁気分離装置。
【発明の詳細な説明】
【技術分野】
【０００１】
本発明は、クーラント液に含まれるスラッジから金属成分を回収する回転ドラム型磁気分離装置に関する。
【背景技術】
【０００２】
金属材料、特に鉄鋼材料に代表される磁性材料の研磨加工、切削加工等において、クーラント液とともに排出されるスラッジ状の切削屑、切粉等は、液分と分離させて回収する。切削屑、切粉等は様々な形状を有しているため、回収効率の観点から種々の磁気分離(回収)装置が開発されている。
【０００３】
例えば切粉は、粉状であるために容易に集合して液分を含みやすい。したがって、スラッジの液分の分離に優れた磁気分離装置が要求される。例えば図１は、従来の回転ドラム型磁気分離装置の構成を示す回転ドラムの回転軸に直交する面での断面図である。
【０００４】
図１に示すように、従来の回転ドラム型磁気分離装置は、箱型の本体１内にクーラント液を溜め置く液溜め部２が設けられている。そして、液溜め部２を二分するように、本体１の中央部近傍に回転ドラム３が略水平方向に軸支されている。回転ドラム３は、ステンレス鋼等の非磁性材からなる円筒体をなしており、外周面に複数の磁石４、４、・・・を所定の配列で配置してある内筒５を、外筒９の内部に同軸に固定してある。複数の磁石４、４、・・・は、クーラント液に含まれる切削屑、切粉等を磁着させることができるように、回転ドラム３の外周面に所定の磁束を発生させるよう、磁極が配置されている。
【０００５】
図１の例では、回転ドラム３の液溜め部２に浸漬する部分から頂上部までの間、すなわち回転ドラム３の外周の略４分の３に相当する部分に対応する内筒５に、複数の磁石４、４、・・・が配置されている。残りの略４分の１に相当する部分には内筒５に磁石４、４、・・・が配置されておらず、磁力が作用しないように構成されている。
【０００６】
磁石４、４、・・・の磁力によって液溜め部２の底部にて外筒９の外周面に磁着された切削屑、切粉等は、外筒９の回転に伴って回転ドラム３の頂上部へと搬送され、頂上部を通過した時点で磁石４、４、・・・の磁力による磁着力から解放され、回転ドラム３に当接するスクレパー７にて掻き取られて回収される。回転ドラム３の頂上部近傍には、ゴム等の弾性体を表面に配してある絞りローラ６が設けられており、所定の押圧で回転ドラム３の外筒９の外周面に当接されている。外筒９と絞りローラ６との間を磁着されたスラッジが通過することにより、スラッジの液分が絞り取られ、回転ドラム３の頂上部を通過した時点、すなわち磁石４の磁力が及ばない位置にて切削屑、切粉等のみが分離回収される。
【０００７】
上述した従来の回転ドラム型磁気分離装置でも一定水準までクーラント液を浄化することができるが、昨今、さらに清浄度の高いクーラント液へと浄化することが要求されている。これに対して、例えば特許文献１では、多段階に複数の磁気分離装置を配置することで、より清浄度の高いクーラント液を提供している。
【０００８】
また、特許文献２では、外周面に複数の磁石を配置してある第１の回転ドラムと、第１の回転ドラムと近接して配置され、第１の回転ドラムに吸着されて搬送されてきた浮遊固形物を受け渡される、外周面に複数の磁石を配置してある第２の回転ドラムとを備える浄化装置が開示されている。
【先行技術文献】
【特許文献】
【０００９】
【特許文献１】実用新案登録第３０５７１７５号公報
【特許文献２】特開２００３−０３８９０７号公報
【発明の概要】
【発明が解決しようとする課題】
【００１０】
しかし、特許文献１に示すような多段階に磁気分離装置を配置する方法では、複数の磁気分離装置を備える必要があり、製造コストの観点から現実的な解ではない。
【００１１】
また、特許文献２では、最終的に回収する浮遊固形物の大きさを第２の回転ドラムに装着する磁石の磁力の大きさにより分類することはできる。しかし、クーラント液から回収する浮遊固形物の大きさは従来と変わらないので、循環するクーラント液中の浮遊固形物の総量に変化はなく、クーラント液の清浄度の向上を図ることができないという問題点があった。
【００１２】
本発明は斯かる事情に鑑みてなされたものであり、簡単な構造で、循環するクーラント液の清浄度を向上させることが可能な回転ドラム型磁気分離装置を提供することを目的とする。
【課題を解決するための手段】
【００１３】
上記目的を達成するために第１発明に係る回転ドラム型磁気分離装置は、複数の磁石を配置した第１の回転ドラムを備え、使用済みクーラント液中の磁性体を分離する回転ドラム型磁気分離装置において、複数の磁石を配置した第２の回転ドラムを、前記第１の回転ドラムよりも使用済みクーラント液が流入してくる手前側に備え、前記第２の回転ドラムが使用済みクーラント液中の磁性体を磁化することで、該磁性体を互いに吸着させて大きくするとともに、前記第２の回転ドラムに付着した磁性体を掻き取るスクレパーと、前記第１の回転ドラム下部の流路を形成する底部材とを備え、前記スクレパーにより掻き取られた磁性体が大きくなった状態のまま、前記使用済みクーラント液の流れに沿って前記第１の回転ドラムへ誘導されることを特徴とする。
【００１４】
第１発明では、複数の磁石を配置した第２の回転ドラムを、第１の回転ドラムよりも使用済みクーラント液が流入してくる手前側に備え、第２の回転ドラムが使用済みクーラント液中の磁性体を磁化することで、該磁性体を互いに吸着させて大きくするとともに、第２の回転ドラムに付着した磁性体を掻き取るスクレパーと、第１の回転ドラム下部の流路を形成する底部材とを備え、スクレパーにより掻き取られた磁性体が大きくなった状態のまま、使用済みクーラント液の流れに沿って第１の回転ドラムへ誘導される。これにより、第２の回転ドラムにおいて吸着された磁性体が磁化されることにより互いに引き寄せあい、細かい粒子が集まることで１粒あたりの大きさが大きくなる。したがって、磁性体が大きな粒子となった状態のまま第１の回転ドラムへと誘導されるので、第１の回転ドラムにより確実に磁性体を回収することができ、クーラント液の清浄度をより向上させることが可能となる。
【００１５】
また、第２発明に係る回転ドラム型磁気分離装置は、第１発明において、前記第２の回転ドラムは、外筒と内筒とで構成されており、前記外筒は固定されており、複数の磁石が配置された前記内筒は、前記外筒の内側を回転することができるよう構成されていることが好ましい。
【００１６】
第２発明では、第２の回転ドラムは、外筒と内筒とで構成されており、外筒は固定されており、複数の磁石が配置された内筒は、外筒の内側を回転することができるので、第１の回転ドラムにより確実に磁性体を回収することができ、クーラント液の清浄度をより向上させることが可能となる。
【００１７】
また、第３発明に係る回転ドラム型磁気分離装置は、第１発明において、前記第２の回転ドラムは、外筒と内筒とで構成されており、複数の磁石が配置された前記内筒は固定されており、前記外筒は前記内筒の外側を回転することができるよう構成されていることが好ましい。
【００１８】
第３発明では、第２の回転ドラムは、外筒と内筒とで構成されており、複数の磁石が配置された内筒は固定されており、外筒は、内筒の外側を回転することができるよう構成されているので、第１の回転ドラムにより確実に磁性体を回収することができ、クーラント液の清浄度をより向上させることが可能となる。
【００１９】
また、第４発明に係る回転ドラム型磁気分離装置は、第１発明において、前記第２の回転ドラムは、外筒と内筒とで構成されており、複数の磁石が配置された前記内筒と前記外筒とは、互いに回転することができるよう構成されていることが好ましい。
【００２０】
第４発明では、第２の回転ドラムは、外筒と内筒とで構成されており、複数の磁石が配置された内筒と外筒とは、互いに回転することができるよう構成されているので、第１の回転ドラムにより確実に磁性体を回収することができ、クーラント液の清浄度をより向上させることが可能となる。
【００２１】
また、第５発明に係る回転ドラム型磁気分離装置は、第２乃至第４発明のいずれか１つにおいて、前記スクレパーは、前記第２の回転ドラム側から前記第１の回転ドラム側に向かって下降するよう傾斜していることが好ましい。
【００２２】
第５発明では、スクレパーは、第２の回転ドラム側から第１の回転ドラム側に向かって下降するよう傾斜しているので、第２の回転ドラムの周面で互いに引き寄せあって（吸着させて）大きくなった磁性体を第２の回転ドラムから分離しやすく、大きくなった状態のまま確実に第１の回転ドラムへと誘導することが可能となる。
【００２３】
また、第６発明に係る回転ドラム型磁気分離装置は、第２乃至第５発明のいずれか１つにおいて、前記第２の回転ドラムは、磁力が周囲と比較して強い強磁部分と、磁力が周囲と比較して弱い弱磁部分とを有することが好ましい。
【００２４】
第６発明では、第２の回転ドラムは、磁力が周囲と比較して強い強磁部分と、磁力が周囲と比較して弱い弱磁部分とを有するので、強磁部分で磁着させた磁性体を弱磁部分で剥離させることができ、第１の回転ドラムへ１粒あたりの大きさが大きくなった磁性体をより確実に誘導することが可能となる。
【００２５】
また、第７発明に係る回転ドラム型磁気分離装置は、第６発明において、前記第２の回転ドラムの前記内筒は、極性の異なる２つの磁石を一組とし、複数組の磁石が装着されていることが好ましい。
【００２６】
第７発明では、第２の回転ドラムの内筒は、極性の異なる２つの磁石を一組とし、複数組の磁石が装着されているので、隣接する二組の磁石の極性を逆にする等、配列を工夫することにより、より強い強磁部分、あるいはより弱い弱磁部分を形成することができ、第１の回転ドラムへ１粒あたりの大きさが大きくなった磁性体をより確実に誘導することが可能となる。
【００２７】
また、第８発明に係る回転ドラム型磁気分離装置は、第７発明において、前記第２の回転ドラムの前記内筒に装着された一組の磁石は、一方の磁石の厚みの方が他方の磁石の厚みよりも厚くなるよう構成されていることが好ましい。
【００２８】
第８発明では、第２の回転ドラムの内筒に装着された一組の磁石は、一方の磁石の厚みの方が他方の磁石の厚みよりも厚くなるよう構成されているので、より強い強磁部分、あるいはより弱い弱磁部分を形成することができ、第１の回転ドラムへ１粒あたりの大きさが大きくなった磁性体をより確実に誘導することが可能となる。
【００２９】
また、第９発明に係る回転ドラム型磁気分離装置は、第７発明において、前記第２の回転ドラムの前記内筒に偶数組の磁石が装着された場合、互いに隣接する一組の磁石は、極性が逆になるよう構成されていることが好ましい。
【００３０】
第９発明では、第２の回転ドラムの内筒に偶数組の磁石が装着された場合、互いに隣接する一組の磁石は、極性が逆になるよう構成することにより、各組の磁石間に磁力の比較的弱い弱磁部分を確実に形成することができ、第１の回転ドラムへ１粒あたりの大きさが大きくなった磁性体をより確実に誘導することが可能となる。
【発明の効果】
【００３１】
本発明によれば、第２の回転ドラムにおいて吸着された磁性体が磁化されることにより互いに引き寄せあい、細かい粒子が集まることで１粒あたりの大きさが大きくなる。したがって、磁性体が大きな粒子となった状態のまま第１の回転ドラムへと誘導されるので、第１の回転ドラムにより確実に磁性体を回収することができ、クーラント液の清浄度をより向上させることが可能となる。
【図面の簡単な説明】
【００３２】
【図１】従来の回転ドラム型磁気分離装置の構成を示す回転ドラムの回転軸に直交する面での断面図である。
【図２】本発明の実施の形態に係る回転ドラム型磁気分離装置の構成を示す回転ドラムの回転軸に直交する面での断面図である。
【図３】本発明の実施の形態に係る回転ドラム型磁気分離装置の回転ドラムの磁束密度の分布を示す例示図である。
【図４】本発明の実施の形態に係る第２の回転ドラムの複数の磁石の配置例を示す第２の回転ドラムの回転軸に直交する面での模式断面図である。
【図５】本発明の実施の形態に係る第２の回転ドラムの複数の磁石の他の配置例を示す第２の回転ドラムの回転軸に直交する面での模式断面図である。
【図６】不要物である磁性スラッジの回収率の変動を示すグラフである。
【図７】本発明の実施の形態に係る回転ドラム型磁気分離装置の他の構成を示す回転ドラムの回転軸に直交する面での断面図である。
【発明を実施するための形態】
【００３３】
以下に、本発明を実施の形態を示す図面に基づいて詳細に説明する。図２は、本発明の実施の形態に係る回転ドラム型磁気分離装置の構成を示す回転ドラムの回転軸に直交する面での断面図である。
【００３４】
図２に示すように、本実施の形態に係る回転ドラム型磁気分離装置は、箱型の本体１０内にクーラント液を溜め置く液溜め部１２が設けられ、研磨加工後、あるいは切削加工後の切削屑、切粉等を含むスラッジが混入している使用済みクーラント液は、投入口２０から液溜め部１２へ投入される。
【００３５】
液溜め部１２を二分するように、本体１０の中央部近傍に第１の回転ドラム１３が略水平方向に回転することが可能に軸支されている。第１の回転ドラム１３は、ステンレス鋼等の非磁性材からなる円筒体をなしており、外周面に複数の磁石１４、１４、・・・を所定の配列で配置してある内筒１５を、外筒１９の内部に外筒１９と同軸に固定してある。複数の磁石１４、１４、・・・は、使用済みクーラント液に含まれる磁性体である切削屑、切粉等を磁着させることができるように、外筒１９の外周面に所定の磁束を発生させるよう、極性が配置されている。なお、図２に示すように、隣接する磁石１４、１４は、それぞれ極性が逆になるように配置されており、具体的には外周面側が「Ｎ」極の磁石、外周面側が「Ｓ」極の磁石、・・・というように交互に内筒１５の外周面に配置されている。
【００３６】
図２では、第１の回転ドラム１３の液溜め部１２に浸漬する部分から頂上部までの間、すなわち第１の回転ドラム１３の外周の略４分の３に相当する部分に対応する内筒１５に、複数の磁石１４、１４、・・・が配置されている。残りの略４分の１に相当する部分には内筒１５に磁石１４が配置されておらず、磁力が作用しないように構成されている。
【００３７】
複数の磁石１４、１４、・・・の磁力によって液溜め部１２の底部にて第１の回転ドラム１３の外筒１９の外周面に磁着された磁性体である切削屑、切粉等は、外筒１９の回転に伴って第１の回転ドラム１３の頂上部へと搬送され、頂上部を通過した時点で複数の磁石１４、１４、・・・による磁着力から解放され、外筒１９に当接するスクレパー１７にて掻き取られて回収される。第１の回転ドラム１３の頂上部近傍には、ゴム等の弾性体を表面に配してある絞りローラ１６が設けられており、所定の押圧で第１の回転ドラム１３の外筒１９の外周面に当接されている。外筒１９と絞りローラ１６との間を磁着された切削屑、切粉等を含むスラッジが通過することにより、スラッジの液分が絞り取られ、第１の回転ドラム１３が頂上部を通過した時点、すなわち磁力が及ばない位置にて切削屑、切粉等のみが分離回収される。
【００３８】
絞りローラ１６の第１の回転ドラム１３の外周面との当接面に用いる弾性体としては、ＣＲ（クロロプレン）系ゴム、ＮＢＲ（ニトリル）系ゴム等の弾性体を用いるのが主流であるが、例えばポリエステルポリオールを主成分とした未架橋のポリウレタン材を用いても良い。  
【００３９】
本実施の形態では、第１の回転ドラム１３に加えて、第１の回転ドラム１３よりも小径である第２の回転ドラム２１を、第１の回転ドラム１３よりも使用済みクーラント液が流入してくる手前側に配置している。つまり、まず第２の回転ドラム２１により磁性体である切削屑、切粉を吸着させた後、再度、第１の回転ドラム１３により集約された切削屑、切粉を吸着する構造となっている。
【００４０】
第２の回転ドラム２１は、第１の回転ドラム１３と同様、ステンレス鋼等の非磁性材からなる円筒体をなしており、外周面に複数の磁石２４、２４、・・・を所定の配列で配置してある内筒２５を、外筒２９の内部に外筒２９と同軸に回転することが可能に支持してある。複数の磁石２４、２４、・・・は、使用済みクーラント液に含まれる磁性体である切削屑、切粉等を磁着させることができるように、外筒２９の外周面に所定の磁束を発生させるよう、極性が配置されている。なお、図２に示す「Ｎ」、「Ｓ」は、それぞれ磁石２４の外筒２９の外周面側と逆の面側の極性を示している。
【００４１】
図２では、第２の回転ドラム２１は液溜め部１２に全体が浸漬している。そして、内筒２５に、複数の磁石２４、２４、・・・が配置されている。複数の磁石２４、２４、・・・の磁力によって液溜め部１２の底部にて第２の回転ドラム２１の外筒２９の外周面に磁着された磁性体である切削屑、切粉等は、内筒２５の回転に伴って外筒２９の外周面を移動し、第２の回転ドラム２１の頂上部を通過して外筒２９に当接するスクレパー２７にて掻き取られる。スクレパー２７は、第１の回転ドラム１３の下部の流路を形成する底部材３０に連結されており、掻き取られた不要物（磁性体）は第１の回転ドラム１３へと誘導される。
【００４２】
ここで、複数の磁石２４、２４、・・・は、磁極が互いに交互になるように配置されており、外筒２９の外周面から出ている磁束は不連続となっている。図３は、本発明の実施の形態に係る回転ドラム型磁気分離装置の第２の回転ドラム２１の磁束密度の分布を示す例示図である。図３の「疎」、「密」は、それぞれ磁束密度の大きい部分、小さい部分を示している。
【００４３】
図３に示すように、複数の磁石２４、２４、・・・は、２つの磁石２４、２４を一組とした磁石群２４１が内筒２５の外周面に配置されており、外周面側の磁極が順次、Ｎ極、Ｓ極、Ｎ極、Ｓ極、・・・と互いに交互になるように配置されている。このように配置することで、磁石群２４１の正面と、磁石群２４１、２４１の間の間隙部とでは、外筒２９の外周面から出ている磁束の磁束密度に差異が生じる。例えば磁束密度の大きい、すなわち磁力の強い強磁部分と、磁束密度の小さい、すなわち磁力の弱い弱磁部分とが生じる。
【００４４】
そして、強磁部分では、外筒２９の表面において磁化された切削屑、切粉等が吸着しやすく、細かい粒子状であっても引き寄せあって大きくなりやすい。一方、弱磁部分では、外筒２９の表面から剥離しやすい。したがって、内筒２５の回転によりスクレパー２７に弱磁部分が到達した時点で、比較的大きくなった切削屑、切粉等の不要物（磁性体）が剥離しやすく、使用済みクーラント液の流れに沿って、１粒あたりの大きさが大きくなった状態のまま第１の回転ドラム１３へと誘導される。
【００４５】
本実施の形態に係る回転ドラム型磁気分離装置の第２の回転ドラム２１の複数の磁石２４、２４、・・・の配置は特に限定されるものではない。図４は、本発明の実施の形態に係る第２の回転ドラム２１の複数の磁石２４、２４、・・・の配置例を示す第２の回転ドラム２１の回転軸に直交する面での模式断面図である。
【００４６】
図４（ａ）の例では、２つの磁石２４、２４を一組とした磁石群２４１を３組配置しており、図４（ｂ）の例では、磁石群２４１を４組配置している。図４（ａ）のように、磁石群２４１が奇数組配置されている場合には、隣接する磁石群２４１、２４１の間に弱磁部分を形成するために、隣接する磁石群２４１の極性が逆になるよう配置しても、異なる極性の磁石２４、２４が対向する部分が生じる。
【００４７】
それに対して、図４（ｂ）のように、磁石群２４１が偶数組配置されている場合には、隣接する磁石群２４１、２４１の間に弱磁部分を形成するために、隣接する磁石群２４１の極性が逆になるよう配置しても、異なる極性の磁石２４、２４が対向する部分が生じない。つまり、第２の回転ドラム２１の周面では強磁部分と弱磁部分とが等間隔に生じるので、一定の大きさの不要物（磁性体）を第１の回転ドラム１３へと誘導することができる。
【００４８】
また、第２の回転ドラム２１の内筒２５に装着された一組の磁石群２４１は、一方の磁石２４の厚みの方が他方の磁石２４の厚みよりも厚くなるよう構成されていても良い。磁束密度は磁石２４の厚みに比例しており、磁石群２４１の中においても、強磁部分と弱磁部分とが生じるからである。
【００４９】
図５は、本発明の実施の形態に係る第２の回転ドラム２１の複数の磁石２４ａ、２４ｂ、・・・の他の配置例を示す第２の回転ドラム２１の回転軸に直交する面での模式断面図である。図５（ａ）の例では、２つの磁石２４ａ、２４ｂを一組とした磁石群２４１を３組配置しており、図５（ｂ）の例では、磁石群２４１を４組配置している。
【００５０】
図５（ａ）及び（ｂ）のように、本実施の形態では、磁石群２４１ごとに、２つの磁石２４ａ、２４ｂのうち、第２の回転ドラムの回転方向で先にスクレパー２７に到達する一方の磁石２４ａの厚みを、隣接する他方の磁石２４ｂの厚みよりも厚くなるようにしている。これにより、磁石群２４１の中においても強磁部分と弱磁部分とが生じるので、より確実に互いに引き寄せあうことで１粒あたりの大きさが大きくなった不要物（磁性体）を第１の回転ドラム１３へと誘導することができる。
【００５１】
図６は、不要物である磁性スラッジの回収率の変動を示すグラフである。図６（ａ）は、従来の回転ドラム型磁気分離装置の磁性スラッジ等の不要物の回収率を示している。
【００５２】
一方、図６（ｂ）は、従来の回転ドラム型磁気分離装置に、第２の回転ドラム２１を設けた場合の磁性スラッジ等の不要物の回収率を示している。図６（ａ）と図６（ｂ）とを比較してわかるように、図６（ｂ）の方が図６（ａ）よりも回収率が向上している。
【００５３】
ここで、スクレパー２７は、図２に示すように水平方向に設けることに限定されるものではない。例えば、スクレパー２７は、第１の回転ドラム１３の下部の流路を形成する底部材に連結されていれば足りるので、第２の回転ドラム２１側から第１の回転ドラム１３に向かって下降するよう傾斜していても良い。
【００５４】
図７は、本発明の実施の形態に係る回転ドラム型磁気分離装置の他の構成を示す回転ドラムの回転軸に直交する面での断面図である。図７に示すように、本実施の形態に係る回転ドラム型磁気分離装置は、第２の回転ドラム２１の外筒２９に当接するスクレパー２７が、第２の回転ドラム２１側から第１の回転ドラム１３側へ傾斜するよう設けられている。
【００５５】
これにより、スクレパー２７で書き取られた第２の回転ドラム２１に付着した不要物が、傾斜に沿って第１の回転ドラム１３側へと流れに乗って移動しやすく、第１の回転ドラム１３により確実に回収することが可能となる。
【００５６】
以上のように本実施の形態によれば、第２の回転ドラム２１において吸着された不要物（磁性体）が磁化されることにより互いに引き寄せあい、細かい粒子が集まることで１粒あたりの大きさが大きくなる。したがって、不要物が大きな粒子となって第１の回転ドラム１３へと誘導されるので、第１の回転ドラム１３により確実に不要物を回収することができ、クーラント液の清浄度をより向上させることが可能となる。
【００５７】
その他、本発明の趣旨を逸脱しない範囲において上記実施の形態に種々の変更、例えば第２の回転ドラム２１の磁石２４の配置の変更、スクレパー２７の傾斜角度の変更等を付加した形態で実施することが可能である。
【００５８】
また、上述した実施の形態では、第２の回転ドラム２１の外筒２９は固定されており、複数の磁石２４が配置された内筒２５は、外筒２９の内側を回転することができるよう構成されているが、特にこれに限定されるものではない。例えば、複数の磁石２４が配置された内筒２５は固定されており、外筒２９は、内筒２５の外側を回転することができるよう構成されていても良いし、複数の磁石２４が配置された内筒２５と外筒２９とは、互いに回転することができるよう構成されていても良い。
【符号の説明】
【００５９】
１０  本体
１３  第１の回転ドラム
２１  第２の回転ドラム
１４、２４  磁石
１５、２５  内筒
１７、２７  スクレパー
１９、２９  外筒
２４１  磁石群
【図１】
0006774734.tif 000002
【図２】
0006774734.tif 000003
【図３】
0006774734.tif 000004
【図４】
0006774734.tif 000005
【図５】
0006774734.tif 000006
【図６】
0006774734.tif 000007
【図７】
0006774734.tif 000008